(57)【要約】【課題】  精度の高い差異検出を実現できる画像処理装置と変更部分の検出を容易にするデータ生成装置を提供。【解決手段】  原稿Ｐ１を読み取ると（元データ取得部１１１）、入力した原稿データを識別する識別情報を生成し、原稿データと識別情報とを対応付けて原稿データベース８４ａに記憶し（元データ記憶制御部１１３）、原稿Ｐ１の内容に識別情報を示すバーコードＰ２ａが付加された原稿Ｐ２を印刷する。一方、バーコードＰ３ａが印刷された原稿Ｐ３を読み取ると（検出対象取得部１２１）、バーコードＰ３ａが示す識別情報で指定される原稿データを原稿データベース８４ａから抽出する（原稿データ抽出部１２３）。そして、読み込まれた原稿データと抽出した原稿データと比較して、両原稿データ間のデータの差異を検出し、差異を示す検出データを生成する（検出部１２５）。その後、差異がある部分が視覚的に認識可能な（Ｐ４ａ参照）原稿Ｐ４を出力する。【選択図】図６
2005064786.tif 000002
【特許請求の範囲】
【請求項１】
元データとなる元画像データを取得する元データ取得手段と、
該元データ取得手段により取得された前記元画像データに対して、該元画像データを識別するための識別情報を生成して該元画像データと対応付けて記憶手段に記憶する元データ記憶制御手段と、
該記憶手段に記憶される前記元画像データとそれに対応する前記識別情報とを組み合わせて、複写画像データを生成する複写画像データ生成手段と、
前記複写画像データを被記録媒体に記録する記録手段と、
を備えた画像処理装置であって、
前記被記録媒体に形成された画像を読取手段により読み取ることにより、検出対象となる検出対象画像データと、前記識別情報とを取得する検出対象取得手段と、
該検出対象取得手段によって取得された前記識別情報に基づいて、前記記憶手段から該識別情報に対応付けられている元画像データを抽出する元画像データ抽出手段と、
該元画像データ抽出手段によって抽出された元画像データと、前記検出対象取得手段によって取得された検出対象画像データとを比較し、両画像データの間の差異を検出する検出手段と、
を備えることを特徴とする画像処理装置。
【請求項２】
前記元データ取得手段は、
前記記憶手段に予め記憶されている画像データを指定して前記元画像データとして取得する手段と、
前記読取手段により被記録媒体上に形成された画像を読み取ることにより得られる画像データを前記元画像データとして取得する手段と、
公衆電話回線網を介してデータ通信を行うことにより得られる画像データを前記元画像データとして取得する手段と、
ネットワークを介してデータ通信を行うことにより得られる画像データを前記元画像データとして取得する手段と、
接続されているパーソナルコンピュータから得られる画像データを前記元画像データとして取得する手段と、
の内の、少なくとも一つを備える、
ことを特徴とする請求項１に記載の画像処理装置。
【請求項３】
前記検出手段が前記両データ間の差異を検出すると、その旨を報知する報知手段をさらに備えることを特徴とする請求項１もしくは請求項２に記載の画像処理装置。
【請求項４】
前記報知手段は、前記検出手段による検出結果を出力するための結果データを生成する結果データ生成手段をさらに備えることを特徴とする請求項３に記載の画像処理装置。
【請求項５】
前記結果データ生成手段は、前記差異が検出された部分を、その他の部分と視覚的に識別可能とするように前記結果データを生成することを特徴とする請求項４に記載の画像処理装置。
【請求項６】
前記結果データ生成手段は、前記差異が検出された部分が、それ以外の部分とは異なる表現で示されるように前記結果データを生成することを特徴とする請求項５に記載の画像処理装置。
【請求項７】
前記結果データ生成手段は、前記差異が検出された部分が、それ以外の部分とは異なる色で示されるように前記結果データを生成することを特徴とする請求項６に記載の画像処理装置。
【請求項８】
前記結果データ生成手段は、前記差異が検出された部分が、それ以外の部分とは異なる濃度で示されるように前記結果データを生成することを特徴とする請求項６に記載の画像処理装置。
【請求項９】
前記結果データ生成手段は、前記差異が検出された部分が、それ以外の部分とは異なる太さで示されるように前記結果データを生成することを特徴とする請求項６に記載の画像処理装置。
【請求項１０】
前記元画像データ、及び前記検出対象データがカラー画像データである場合、前記結果データ生成手段は、前記差異が検出された部分を所定色、該差異が検出された部分以外を該所定色以外の単色とするようにカラー画像データをそれぞれ単色データに置換して前記結果データを生成することを特徴とする請求項６に記載の画像処理装置。
【請求項１１】
前記結果データに基づく画像を印刷する印刷手段と、前記結果データに基づく画像を表示する表示手段と、公衆電話回線網を介して前記結果データを送受信する第１通信手段と、インターネットを介して前記結果データを送受信する第２通信手段との内の、少なくとも１つを備える出力手段と、
前記出力手段が複数の手段を備える場合には、前記結果データを出力する手段として、複数の手段の中から１つ選択するための選択手段と、
を備えることを特徴とする請求項４〜請求項１０のいずれかに記載の画像処理装置。
【請求項１２】
前記識別情報は、シリアル番号、もしくは前記識別情報が生成された日時を表す情報の少なくとも１つを含むことを特徴とする請求項１〜請求項１１のいずれかに記載の画像処理装置。
【請求項１３】
前記識別情報は、本装置の製造番号を含むことを特徴とする請求項１２に記載の画像処理装置。
【請求項１４】
請求項１〜請求項１３のいずれかに記載の画像処理装置の前記各手段を備える画像処理システムであって、
前記各手段の少なくとも１つが、ネットワークを介して、その他の手段と接続されていることを特徴とする画像処理システム。
【請求項１５】
元データとなる元画像データを取得する元データ取得工程と、
該元データ取得工程により取得された前記元画像データに対して、該元画像データを識別するための識別情報を生成して該元画像データと対応付けて記憶手段に記憶する元データ記憶制御工程と、
該記憶手段に記憶される前記元画像データとそれに対応する前記識別情報とを組み合わせて、複写画像データを生成する複写画像データ生成工程と、
前記複写画像データを被記録媒体に記録する記録工程と、
を備えた画像処理方法であって、
前記被記録媒体に形成された画像を読取手段により読み取ることにより、検出対象となる検出対象画像データと、前記識別情報とを取得する検出対象取得工程と、
該検出対象取得工程によって取得された前記識別情報に基づいて、前記記憶手段から該識別情報に対応付けられている元画像データを抽出する元画像データ抽出工程と、
該元画像データ抽出工程によって抽出された元画像データと、前記検出対象取得工程によって取得された検出対象画像データとを比較し、両画像データの間の差異を検出する検出工程と、
を備えることを特徴とする画像処理方法。
【請求項１６】
元データとなる元画像データを取得する元データ取得手段と、
該元データ取得手段により取得された前記元画像データに対して、該元画像データを識別するための識別情報を生成して該元画像データと対応付けて記憶手段に記憶する元データ記憶制御手段と、
該記憶手段に記憶される前記元画像データとそれに対応する前記識別情報とを組み合わせて、複写画像データを生成する複写画像データ生成手段と、
前記複写画像データを被記録媒体に記録する記録手段と、
を備えたことを特徴とする元データ管理装置。
【請求項１７】
請求項１６に記載の元データ管理装置の前記各手段を備える元データ管理システムであって、
前記各手段の少なくとも１つが、ネットワークを介して、その他の手段と接続されていることを特徴とする元データ管理システム。
【請求項１８】
元データとなる元画像データを取得する元データ取得工程と、
該元データ取得工程により取得された前記元画像データに対して、該元画像データを識別するための識別情報を生成して該元画像データと対応付けて記憶手段に記憶する元データ記憶制御工程と、
該記憶手段に記憶される前記元画像データとそれに対応する前記識別情報とを組み合わせて、複写画像データを生成する複写画像データ生成工程と、
前記複写画像データを被記録媒体に記録する記録工程と、
を備えたことを特徴とする元データ管理方法。
【請求項１９】
元データとなる元画像データと、該元画像データを識別するための識別情報とが対応付けて記憶される記憶手段と、
被記録媒体上に形成されている画像部と識別情報部とを読み取る読取手段と、
該読取手段により読み取られた識別情報が示す情報に基づいて、前記記憶手段に記憶されている前記識別情報を参照することにより、対応する前記元画像データを取得する元画像データ取得手段と、
前記読取手段により読み取られた画像部の画像データを検出対象画像データとし、該検出対象画像データと前記元画像データ取得手段により取得された前記元画像データとを比較し、両画像データの間の差異を検出する検出手段と、を備えたことを特徴とする画像処理装置。
【請求項２０】
請求項１９に記載の画像処理装置の前記各手段を備える画像処理システムであって、
前記各手段の少なくとも１つが、ネットワークを介して、その他の手段と接続されていることを特徴とする画像処理システム。
【請求項２１】
元データとなる元画像データと、該元画像データを識別するための識別情報とが対応付けて記憶される記憶手段を用いた画像処理方法であって、
被記録媒体上に形成されている画像部と識別情報部とを読み取る読取工程と、
該読取手段により読み取られた識別情報が示す情報に基づいて、前記記憶手段に記憶されている前記識別情報を参照することにより、対応する前記元画像データを取得する元画像データ取得工程と、
前記読取工程により読み取られた画像部の画像データを検出対象画像データとし、該検出対象画像データと前記元画像データ取得工程により取得された前記元画像データとを比較し、両画像データの間の差異を検出する検出工程と、を備えたことを特徴とする画像処理方法。
【請求項２２】
元データとなる元画像データと、該元画像データを識別するための第１識別情報とが対応付けられて記憶される記憶手段に接続される画像処理装置であって、
検出対象となる検出対象画像データと、該検出対象画像データに付与され、かつ前記第１識別情報と関連付けられる第２の識別情報とを取得する検出対象取得手段と、
該検出対象取得手段によって取得された前記第２の識別情報に関連づけられる前記第１の識別情報に基づいて、前記記憶手段から対応する元画像データを抽出する元画像データ抽出手段と、
該元画像データ抽出手段によって抽出された元画像データと、前記検出対象取得手段によって取得された検出対象画像データとを比較し、両画像データの間の差異を検出する検出手段と、
を備えることを特徴とする画像処理装置。
【請求項２３】
元データとなる元画像データと、該元画像データを識別するための第１識別情報とが対応付けられて記憶される記憶手段を用いた画像処理方法であって、
検出対象となる検出対象画像データと、該検出対象画像データに付与され、かつ前記第１識別情報と関連付けられる第２の識別情報とを取得する検出対象取得工程と、
該検出対象取得工程によって取得された前記第２の識別情報に関連づけられる前記第１の識別情報に基づいて、前記記憶手段から対応する元画像データを抽出する元画像データ抽出工程と、
該元画像データ抽出工程によって抽出された元画像データと、前記検出対象取得工程によって取得された検出対象画像データとを比較し、両画像データの間の差異を検出する検出工程と、
を備えることを特徴とする画像処理方法。
【請求項２４】
請求項１〜請求項１３及び請求項１９のいずれかに記載の画像処理装置を複数備え、
前記各画像処理装置は、ネットワークを介して接続され、各記憶手段に記憶されている元画像データと識別情報を共有する、
ことを特徴とする画像処理システム。
【請求項２５】
元データとなる元画像データと、検出対象となる検出対象画像データとを比較し、両画像データの間の差異を検出すると、前記差異が検出された部分と、その他の部分とを視覚的に識別可能とする検出結果出力用データを生成する結果データ生成手段を備えたことを特徴とするデータ生成装置。
【請求項２６】
前記結果データ生成手段は、前記差異が検出された部分を、それ以外の部分とは異なる表現で示されるように前記検出結果出力用データを生成することを特徴とする請求項２５に記載の画像処理装置。
【請求項２７】
元データとなる元画像データと、検出対象となる検出対象画像データとを比較し、該差異を認識可能に出力するための検出結果出力用データを生成するデータ生成手段を備えたデータ生成装置であって、
前記元画像データ、及び検出対象画像データがカラー画像データである場合、前記データ生成手段は、前記差異が検出された部分を所定色、該差異が検出された部分以外を該所定色以外の単色とするようにカラー画像データをそれぞれ単色データに置換して前記検出結果出力用データを生成することを特徴とするデータ生成装置。
【請求項２８】
元データとなる元画像データと、検出対象となる検出対象画像データとを比較し、該差異を認識可能に出力するための検出結果出力用データを生成するデータ生成方法であって、
前記元画像データ、及び検出対象画像データがカラー画像データである場合、前記差異が検出された部分を所定色、該差異が検出された部分以外を該所定色以外の単色とするようにカラー画像データをそれぞれ単色データに置換して前記検出結果出力用データを生成する、
ことを特徴とするデータ生成方法。
【発明の詳細な説明】
【技術分野】
【０００１】
本発明は、印刷物や画像データなどについて、その元データとの間の差異を検出するための技術に関する。
【背景技術】
【０００２】
文字や画像が記録された印刷物や画像データは、その内容が意図的に変更されたり誤って汚され画像の識別がつかなくなる可能性があり、特に重要な印刷物や画像データについてはその信頼性を保証することが望まれている。
【０００３】
そして、印刷物の内容が、原印刷物（オリジナル）と同一であるか改竄されているかを検出するための方法としては、オリジナルの内容を再現することが可能なコードパターンを余白部分に付加して印刷物を作成し、印刷物の改竄を検出する際には、その印刷物に付加されているコードパターンを読み取り、コードパターンに基づいてオリジナルを再現するものが知られている。つまり、コードパターンからオリジナルを再現し、この再現されたオリジナルとコードパターンが付加されている印刷物とを目視により比較することで、改竄されているか否かを検出できるというものである（例えば、特許文献１参照。）。
【特許文献１】特開２００２−２９８１２０号公報
【発明の開示】
【発明が解決しようとする課題】
【０００４】
しかし、上記方法では、コードパターンが付加された印刷物において、改竄された印刷物の内容に一致するようにコードパターンも同時に改竄された場合には改竄を検出できないため、オリジナルの保証が不十分となる問題があった。
【０００５】
また、コードパターンから再現された印刷物とコードパターンが付加されている元の印刷物とを、人が見比べることで改竄された部分を見つけるため、改竄された部分を見落とし易いという問題があった。
【０００６】
本発明は、こうした問題に鑑みなされたものであり、加筆などの変更を精度よく検出できオリジナルの保証を可能とする画像処理装置、画像処理システム、画像処理方法、元データ管理装置、元データ管理システム、及び元データ管理方法と、変更された部分の検出を容易にするデータ生成装置、及びデータ生成方法を提供することを目的とする。
【課題を解決するための手段】
【０００７】
係る目的を達成するためになされた請求項１に記載の画像処理装置は、元データとなる元画像データを取得する元データ取得手段と、該元データ取得手段により取得された前記元画像データに対して、該元画像データを識別するための識別情報を生成して該元画像データと対応付けて記憶手段に記憶する元データ記憶制御手段と、該記憶手段に記憶される前記元画像データとそれに対応する前記識別情報とを組み合わせて、複写画像データを生成する複写画像データ生成手段と、前記複写画像データを被記録媒体に記録する記録手段と、を備えた画像処理装置であって、前記被記録媒体に形成された画像を読取手段により読み取ることにより、検出対象となる検出対象画像データと、前記識別情報とを取得する検出対象取得手段と、該検出対象取得手段によって取得された前記識別情報に基づいて、前記記憶手段から該識別情報に対応付けられている元画像データを抽出する元画像データ抽出手段と、該元画像データ抽出手段によって抽出された元画像データと、前記検出対象取得手段によって取得された検出対象画像データとを比較し、両画像データの間の差異を検出する検出手段と、を備えることを特徴とする。
【０００８】
このように構成された画像処理装置によれば、元データ取得手段は、元画像データを取得し、元データ記憶制御手段は、元データ取得手段により取得された元画像データに対して、元画像データを識別するための識別情報を生成して元画像データと対応付けて記憶手段に記憶し、複写画像データ生成手段は、記憶手段に記憶される元画像データとそれに対応する識別情報とを組み合わせて、複写画像データを生成し、記録手段により被記録媒体上に記録する。さらに、検出対象取得手段は、被記録媒体に形成された画像を読取手段により読み取ることにより、検出対象となる検出対象画像データと、識別情報とを取得し、元画像データ抽出手段は、検出対象取得手段によって取得された識別情報に基づいて、記憶手段から識別情報に対応付けられている元画像データを抽出し、検出手段は、元画像データ抽出手段によって抽出された元画像データと、検出対象取得手段によって取得された検出対象画像データとを比較し、両画像データの間の差異を検出する。
【０００９】
すなわち、第三者が手にするのは複写画像データに基づく画像が形成された被記録媒体であり、この被記録媒体には、記憶手段に記憶されている元画像データに基づく画像と、この元画像データを記憶手段から取得するための識別情報とが形成されることになる。ここで、第三者が被記録媒体に形成されている画像に対して加筆等の変更を行った場合、この被記録媒体を読取手段により読み取ることで検出対象画像データを取得すると、この検出対象画像データの中には、元画像データと第三者により変更された部分とが含まれていることになる。また、被記録媒体上に一緒に形成されている識別情報を読み取りにより取得し、これに基づいて記憶手段から元画像データを取得することができ、この元画像データと、検出対象画像データとを比較することで、被記録媒体上の画像に加筆等の変更があれば、データ上でそれを検出することが可能になる。従って、原本となる被記録媒体の元々の内容を保証することができる。
【００１０】
また、第三者が被記録媒体に記録された複写画像データ（元画像データ）に基づく画像を変更した場合、変更内容を含んでいる検出対象画像データの内容に一致するように元画像データを変更するには、検出対象画像データとの間で比較を行うための元画像データが記憶された記憶手段にアクセスする必要があり、第三者による元画像データの変更は困難になる。従って、記憶手段に記憶された元画像データが変更されない限り、検出対象画像データに含まれる変更内容は確実に検出されるため、変更内容検出の精度を向上させることができる。
【００１１】
また、請求項１に記載の画像処理装置における元データ取得手段としては、例えば請求項２に記載のように、前記記憶手段に予め記憶されている画像データを指定して前記元画像データとして取得する手段、前記読取手段により被記録媒体上に形成された画像を読み取ることにより得られる画像データを前記元画像データとして取得する手段、公衆電話回線網を介してデータ通信を行うことにより得られる画像データを前記元画像データとして取得する手段、ネットワークを介してデータ通信を行うことにより得られる画像データを前記元画像データとして取得する手段、接続されているパーソナルコンピュータから得られる画像データを前記元画像データとして取得する手段等を用いることができ、これらの内の少なくとも１つであればよい。
【００１２】
このように構成された画像処理装置によれば、各種経路から元画像データを得ることができ、本装置の活用の場を広げることができる。また、それぞれの異なる経路先において生成した元画像データを本装置で一括して管理し、オリジナル（原本）の保証が可能となる。
【００１３】
また、請求項１または請求項２に記載の画像処理装置においては、請求項３に記載のように、前記検出手段が前記両データ間の差異を検出すると、その旨を報知する報知手段をさらに備えるようにしてもよい。
【００１４】
このように構成された画像処理装置によれば、元画像データと検出対象画像データとの間で差異が検出された場合に、その旨を使用者に確実に認識させることができる。
また、請求項３に記載の画像処理装置においては、請求項４に記載のように、前記報知手段は、前記検出手段による検出結果を出力するための結果データを生成する結果データ生成手段をさらに備えることが望ましい。
【００１５】
このように構成された画像処理装置によれば、結果データを用いて、使用者に対して、差異が検出された部分を提示することができる。
また、請求項４に記載の画像処理装置においては、請求項５に記載のように、前記結果データ生成手段は、前記差異が検出された部分を、その他の部分と視覚的に識別可能とするように前記結果データを生成することが望ましい。
【００１６】
このように構成された画像処理装置によれば、差異が検出された部分を使用者が識別しやすくなる。
また、請求項５に記載の画像処理装置における結果データとしては、例えば、請求項６に記載のように、前記差異が検出された部分が、それ以外の部分とは異なる表現で示されるものでもよい。このように構成することで、より差異が検出された部分を識別しやすくなる。
【００１７】
この場合、異なる表現とは、例えば、請求項７〜請求項９に記載のように、異なる色であってもよいし、異なる濃度であってもよいし、異なる太さであってもよい。さらに、前記元画像データ、及び前記検出対象データがカラー画像データである場合には、請求項１０に記載のように、前記差異が検出された部分を所定色、該差異が検出された部分以外を該所定色以外の単色とするようにカラー画像データをそれぞれ単色データに置換するものであってもよい。
【００１８】
また、請求項４〜請求項１０のいずれかに記載の画像処理装置においては、請求項１１に記載のように、前記結果データに基づく画像を印刷する印刷手段と、前記結果データに基づく画像を表示する表示手段と、公衆電話回線網を介して前記結果データを送受信する第１通信手段と、インターネットを介して前記結果データを送受信する第２通信手段との内の、少なくとも１つを備える出力手段と、前記出力手段が複数の手段を備える場合には、前記結果データを出力する手段として、複数の手段の中から１つ選択するための選択手段と、を備えるようにしてもよい。
【００１９】
このように構成された画像処理装置によれば、結果データを、印刷するか、表示するか、公衆電話回線網を介して送信するか、インターネットを介して送信するかを、使用者に選択させることができ、使用者の使用形態に適した結果データの出力方式を採用することができる。
【００２０】
また、請求項１〜請求項１１のいずれかに記載の画像処理装置における識別情報は、請求項１２に記載のように、前記識別情報は、シリアル番号、もしくは前記識別情報が生成された日時を表す情報の少なくとも１つを含むようにすることが望ましい。
【００２１】
このように構成された画像処理装置によれば、複数の元画像データを識別情報を用いて確実に区別することができる。
また、請求項１２に記載の画像処理装置における識別情報は、請求項１３に記載のように、本装置の製造番号を含むようにしてもよい。
【００２２】
このように構成された画像処理装置によれば、当該画像処理装置が複数存在する場合でも、異なる装置にて同一の識別情報が生成されてしまうことがなく、識別情報により元画像データを確実に認識することができる。
【００２３】
また、請求項１４に記載の画像処理システムは、請求項１〜請求項１３のいずれかに記載の画像処理装置の前記各手段を備える画像処理システムであって、前記各手段の少なくとも１つが、ネットワークを介して、その他の手段と接続されていることを特徴とする。
【００２４】
このように構成された画像処理システムによれば、請求項１〜請求項１３のいずれかに記載の画像処理装置と同様の効果を得ることができる。さらに、ネットワーク接続可能な範囲で、請求項１〜請求項１３のいずれかに記載の画像処理装置の前記各手段を、それぞれ異なる場所に配置でき、配置の自由度が向上する。
【００２５】
また、請求項１５に記載の画像処理方法は、元データとなる元画像データを取得する元データ取得工程と、該元データ取得工程により取得された前記元画像データに対して、該元画像データを識別するための識別情報を生成して該元画像データと対応付けて記憶手段に記憶する元データ記憶制御工程と、該記憶手段に記憶される前記元画像データとそれに対応する前記識別情報とを組み合わせて、複写画像データを生成する複写画像データ生成工程と、前記複写画像データを被記録媒体に記録する記録工程と、を備えた画像処理方法であって、前記被記録媒体に形成された画像を読取手段により読み取ることにより、検出対象となる検出対象画像データと、前記識別情報とを取得する検出対象取得工程と、該検出対象取得工程によって取得された前記識別情報に基づいて、前記記憶手段から該識別情報に対応付けられている元画像データを抽出する元画像データ抽出工程と、該元画像データ抽出工程によって抽出された元画像データと、前記検出対象取得工程によって取得された検出対象画像データとを比較し、両画像データの間の差異を検出する検出工程と、を備えることを特徴とする。
【００２６】
このような画像処理方法により、請求項１に記載の画像処理装置と同様の効果を得ることができる。
また、請求項１６に記載の元データ管理装置は、元データとなる元画像データを取得する元データ取得手段と、該元データ取得手段により取得された前記元画像データに対して、該元画像データを識別するための識別情報を生成して該元画像データと対応付けて記憶手段に記憶する元データ記憶制御手段と、該記憶手段に記憶される前記元画像データとそれに対応する前記識別情報とを組み合わせて、複写画像データを生成する複写画像データ生成手段と、前記複写画像データを被記録媒体に記録する記録手段と、を備えたことを特徴とする。
【００２７】
このように構成された元データ管理装置によれば、元データ取得手段は、元データとなる元画像データを取得し、元データ記憶制御手段は、元データ取得手段により取得された元画像データに対して、元画像データを識別するための識別情報を生成して元画像データと対応付けて記憶手段に記憶し、複写画像データ生成手段は、記憶手段に記憶される前記元画像データとそれに対応する識別情報とを組み合わせて複写画像データを生成し、記録手段は、複写画像データを被記録媒体に記録する。
【００２８】
つまり、被記録媒体に記録されている画像の内容は、元画像データとして記憶手段に記憶されていることから、識別情報に基づいて必要に応じて元画像データを取り出し、使用することができる。そして、請求項１４に記載の画像処理システムを構成する際に好適である。
【００２９】
また、請求項１７に記載の元データ管理システムは、請求項１６に記載の元データ管理装置の前記各手段を備える元データ管理システムであって、前記各手段の少なくとも１つが、ネットワークを介して、その他の手段と接続されていることを特徴とする。
【００３０】
このように構成された元データ管理システムによれば、請求項１６に記載の元データ管理装置と同様の効果を得ることができる。さらに、ネットワーク接続可能な範囲で、請求項１６に記載の元データ管理装置の前記各手段を、それぞれ異なる場所に配置でき、配置の自由度が向上する。
【００３１】
また、請求項１８に記載の元データ管理方法は、元データとなる元画像データを取得する元データ取得工程と、該元データ取得工程により取得された前記元画像データに対して、該元画像データを識別するための識別情報を生成して該元画像データと対応付けて記憶手段に記憶する元データ記憶制御工程と、該記憶手段に記憶される前記元画像データとそれに対応する前記識別情報とを組み合わせて、複写画像データを生成する複写画像データ生成工程と、前記複写画像データを被記録媒体に記録する記録工程と、を備えたことを特徴とする。
【００３２】
このような元データ管理方法により、請求項１６に記載の元データ管理装置と同様の効果を得ることができる。
また、請求項１９に記載の画像処理装置は、元データとなる元画像データと、該元画像データを識別するための識別情報とが対応付けて記憶される記憶手段と、被記録媒体上に形成されている画像部と識別情報部とを読み取る読取手段と、該読取手段により読み取られた識別情報が示す情報に基づいて、前記記憶手段に記憶されている前記識別情報を参照することにより、対応する前記元画像データを取得する元画像データ取得手段と、前記読取手段により読み取られた画像部の画像データを検出対象画像データとし、該検出対象画像データと前記元画像データ取得手段により取得された前記元画像データとを比較し、両画像データの間の差異を検出する検出手段と、を備えたことを特徴とする。
【００３３】
このように構成された画像処理装置によれば、読取手段が被記録媒体上に形成されている画像部と識別情報部とを読み取り、元画像データ取得手段は、読取手段により読み取られた識別情報が示す情報に基づいて、記憶手段に記憶されている識別情報を参照することにより、対応する元画像データを取得し、検出手段は、読取手段により読み取られた画像部の画像データを検出対象画像データとし、検出対象画像データと元画像データ取得手段により取得された元画像データとを比較し、両画像データの間の差異を検出する。
【００３４】
つまり、記憶手段に記憶されている元画像データに基づく画像（画像部）と、識別情報部とが被記録媒体に形成されている場合、画像部に加筆等の変更があれば、この被記録媒体を読取手段により読み取ることで検出対象画像データを取得すると、この検出対象画像データの中には、元画像データと変更された部分とが含まれていることになる。また、被記録媒体上に一緒に形成されている識別情報部を読み取ることで識別情報を取得し、これに基づいて記憶手段から元画像データを取得することができ、この元画像データと、検出対象画像データとを比較することで、被記録媒体上の画像に加筆等の変更があれば、データ上でそれを検出することが可能となる。
【００３５】
また、請求項２０に記載の画像処理システムは、請求項１９に記載の画像処理装置の前記各手段を備える画像処理システムであって、前記各手段の少なくとも１つが、ネットワークを介して、その他の手段と接続されていることを特徴とする。
【００３６】
このように構成された画像処理システムによれば、請求項１９に記載の画像処理装置と同様の効果を得ることができる。さらに、ネットワーク接続可能な範囲で、請求項１９に記載の画像処理装置の前記各手段を、それぞれ異なる場所に配置でき、配置の自由度が向上する。
【００３７】
また、請求項２１に記載の画像処理方法は、元データとなる元画像データと、該元画像データを識別するための識別情報とが対応付けて記憶される記憶手段を用いた画像処理方法であって、被記録媒体上に形成されている画像部と識別情報部とを読み取る読取工程と、該読取手段により読み取られた識別情報が示す情報に基づいて、前記記憶手段に記憶されている前記識別情報を参照することにより、対応する前記元画像データを取得する元画像データ取得工程と、前記読取工程により読み取られた画像部の画像データを検出対象画像データとし、該検出対象画像データと前記元画像データ取得工程により取得された前記元画像データとを比較し、両画像データの間の差異を検出する検出工程と、を備えたことを特徴とする。
【００３８】
このような画像処理方法により、請求項１９に記載の画像処理装置と同様の効果を得ることができる。
また、請求項２２に記載の画像処理装置は、元データとなる元画像データと、該元画像データを識別するための第１識別情報とが対応付けられて記憶される記憶手段に接続される画像処理装置であって、検出対象となる検出対象画像データと、該検出対象画像データに付与され、かつ前記第１識別情報と関連付けられる第２の識別情報とを取得する検出対象取得手段と、該検出対象取得手段によって取得された前記第２の識別情報に関連づけられる前記第１の識別情報に基づいて、前記記憶手段から対応する元画像データを抽出する元画像データ抽出手段と、該元画像データ抽出手段によって抽出された元画像データと、前記検出対象取得手段によって取得された検出対象画像データとを比較し、両画像データの間の差異を検出する検出手段と、を備えることを特徴とする。
【００３９】
このように構成された画像処理装置によれば、検出対象取得手段は、検出対象となる検出対象画像データと、該検出対象画像データに付与され、かつ前記第１識別情報と関連付けられる第２の識別情報とを取得し、元画像データ抽出手段は、検出対象取得手段によって取得された前記第２の識別情報に関連づけられる前記第１の識別情報に基づいて、前記記憶手段から対応する元画像データを抽出し、検出手段は、元画像データ抽出手段によって抽出された元画像データと、前記検出対象取得手段によって取得された検出対象画像データとを比較し、両画像データの間の差異を検出する。
【００４０】
従って、元画像データを複製した画像データが第三者に渡るような場合、元画像データに第１識別情報、複製データに第１識別情報と関連付けられる第２識別情報を予め付与しておき、この複製データが検出対象画像データとして取得される構成であれば、複製データ（検出対象画像データ）に変更等が行われた場合、その検出を行う際には、第２識別情報に基づいて第１識別情報を特定し、その第１識別情報に対応付けられている元画像データを記憶手段から取得する。そして、検出対象画像データと元画像データとを比較することで、検出対象画像データに変更等があれば、データ上でそれを検出することが可能となる。
【００４１】
また、請求項２３に記載の画像処理方法は、元データとなる元画像データと、該元画像データを識別するための第１識別情報とが対応付けられて記憶される記憶手段を用いた画像処理方法であって、検出対象となる検出対象画像データと、該検出対象画像データに付与され、かつ前記第１識別情報と関連付けられる第２の識別情報とを取得する検出対象取得工程と、該検出対象取得工程によって取得された前記第２の識別情報に関連づけられる前記第１の識別情報に基づいて、前記記憶手段から対応する元画像データを抽出する元画像データ抽出工程と、該元画像データ抽出工程によって抽出された元画像データと、前記検出対象取得工程によって取得された検出対象画像データとを比較し、両画像データの間の差異を検出する検出工程と、を備えることを特徴とする。
【００４２】
このような画像処理方法により、請求項２２に記載の画像処理装置と同様の効果を得ることができる。
また、請求項２４に記載の画像処理システムは、請求項１〜請求項１３及び請求項１９のいずれかに記載の画像処理装置を複数備え、前記各画像処理装置は、ネットワークを介して接続され、各記憶手段に記憶されている元画像データと識別情報を共有する、ことを特徴とする。
【００４３】
このように構成された画像処理システムによれば、ある画像処理装置で生成された複写画像データを、他の画像処理装置で取得して元画像データと比較することができる。即ち、複写画像データを生成した画像処理装置でのみ、その複写画像データと元画像データとを比較できるという不便を解消できる。
【００４４】
また、請求項２５に記載のデータ生成装置は、元データとなる元画像データと、検出対象となる検出対象画像データとを比較し、両画像データの間の差異を検出すると、前記差異が検出された部分と、その他の部分とを視覚的に識別可能とする検出結果出力用データを生成する結果データ生成手段を備えたことを特徴とする。
【００４５】
このように構成されたデータ生成装置によれば、両画像データ間に差異が検出された部分を使用者が識別しやすくなる。
また、請求項２５に記載のデータ生成装置における検出結果出力用データとしては、例えば、請求項２６に記載のように、前記差異が検出された部分が、それ以外の部分とは異なる表現で示されるものでもよい。
【００４６】
また、請求項２７に記載のデータ生成装置は、元データとなる元画像データと、検出対象となる検出対象画像データとを比較し、該差異を認識可能に出力するための検出結果出力用データを生成するデータ生成手段を備えたデータ生成装置であって、前記元画像データ、及び検出対象画像データがカラー画像データである場合、前記データ生成手段は、前記差異が検出された部分を所定色、該差異が検出された部分以外を該所定色以外の単色とするようにカラー画像データをそれぞれ単色データに置換して前記検出結果出力用データを生成することを特徴とする。
【００４７】
このように構成されたデータ生成装置によれば、差異が検出された部分を所定色、差異が検出された部分以外を所定色以外の単色となる検出結果出力用データが生成されるので、差異が検出された部分を使用者が視覚的に識別しやすくなる。
【００４８】
また、請求項２８に記載のデータ生成方法は、元データとなる元画像データと、検出対象となる検出対象画像データとを比較し、該差異を認識可能に出力するための検出結果出力用データを生成するデータ生成方法であって、前記元画像データ、及び検出対象画像データがカラー画像データである場合、前記差異が検出された部分を所定色、該差異が検出された部分以外を該所定色以外の単色とするようにカラー画像データをそれぞれ単色データに置換して前記検出結果出力用データを生成する、ことを特徴とする。
【００４９】
このようなデータ生成方法により、請求項２７に記載のデータ生成装置と同様の効果を得ることができる。
【発明を実施するための最良の形態】
【００５０】
図１は、本発明の画像処理装置及びデータ生成装置としてのファクシミリ装置２をインターネットと公衆回線網（即ち、公衆交換電話網：ＰＳＴＮ）とに接続し、ＰＣ１２，２１４をインターネット若しくはローカルエリアネットワーク（ＬＡＮ）を介してファクシミリ装置２にデータ通信可能に接続した画像処理システム１の構成を表す説明図である。また、図２は、ファクシミリ装置２の外部構成を表す概略斜視図、図３は、ファクシミリ装置２の内部構成を表す説明図である。
【００５１】
図１に示すように、ファクシミリ装置２は、回線制御部３と通信モジュール５とを備えている。
回線制御部３は、本発明の第１通信手段に相当し、外部接続ポート４（図４参照）を備えており、この外部接続ポート４には、建造物内（家庭内、オフィス内等）に設置されたスプリッタ８の電話機用の接続ポートに繋がるアナログ線Ｌ１（２芯線、４芯線からなる所謂電話線）が接続されている。
【００５２】
一方、通信モジュール５は、本発明の第２通信手段に相当し、ＷＡＮ側接続ポート６及びＬＡＮ側接続ポート７を備えている。このＷＡＮ側接続ポート６には、ＬＡＮケーブルＬ３を介してＡＤＳＬモデム９が接続されており、更にＡＤＳＬモデム９はＬＡＮケーブルＬ２を介してスプリッタ８のＡＤＳＬ（Ａｓｙｍｍｅｔｒｉｃ  ＤＳＬ）モデム用の接続ポートに接続されている。尚、ＡＤＳＬモデム９は、周知のように、一般家庭に広く普及している電話線を利用してインターネットにアクセス可能なＤＳＬ（Ｄｉｇｉｔａｌ  Ｓｕｂｓｃｒｉｂｅｒ  Ｌｉｎｅ）のサービスセンタに、通信モジュール５を双方向通信可能に接続するための信号変換装置である。また、ＬＡＮ側接続ポート７にはハブ（ＨＵＢ）１１が接続されている。
【００５３】
このハブ（ＨＵＢ）１１には、プリンタＰｒ（ネットワーク接続可能なインクジェットプリンタ、レーザプリンタなど）や、ＰＣ１２などの各ＬＡＮ端末が接続されている。即ち、ハブ（ＨＵＢ）１１は、上記各ＬＡＮ端末から構成される建造物内のローカルエリアネットワーク（ＬＡＮ）に接続されており、ファクシミリ装置２、ＰＣ１２及びプリンタＰｒは、ＬＡＮを介して互いに双方向通信可能な構成にされている。
【００５４】
一方、上記スプリッタ８は、ＡＤＳＬを利用する際に使用される周知のスプリッタであり、基地局側に設置されたスプリッタ２１から送信されてくる概ね４ｋＨｚ以下の第一信号とそれより高周波のＡＤＳＬ用の第二信号とが重畳された伝送信号を、その第一信号と、第二信号に分離し、第一信号を、電話機用の上記接続ポートに出力すると共に第二信号をＡＤＳＬモデム用の上記接続ポートに出力する一方で、各接続ポートから入力されてきた信号を重畳して、基地局側のスプリッタ２１に送信する構成にされている。
【００５５】
即ち、本実施例のファクシミリ装置２は、回線制御部３を用いて、公衆回線網内の加入者電話機に接続可能な構成にされ、更に、通信モジュール５及びＡＤＳＬモデム９を介して広域ネットワーク（ＷＡＮ）としてのインターネットに接続可能な構成にされている。また、このファクシミリ装置２は、通信モジュール５の後述するルータ制御部１０１の動作により、インターネット内の通信装置（ＷＷＷサーバ２２等）とＬＡＮ内の各ＬＡＮ端末（ＰＣ１２，プリンタＰｒ）との間で送受信されるデータ（ＩＰパケット）をルーティングするルータとして機能する構成にされている。
【００５６】
また、本実施例のファクシミリ装置２は、原稿から光学的に画像を読み取り、その画像を表すイメージデータをファクシミリデータにして、上記アナログ線Ｌ１を介して公衆回線網に接続された外部のファクシミリ装置２３に送信すると共に、外部のファクシミリ装置２３から公衆回線網及びアナログ線Ｌ１を介して送信されてきたファクシミリデータを受信して、記録紙にそのファクシミリデータに基づく画像を形成する通常の機能（ファクシミリ機能）の他、プリンタ機能、コピー機能を有している。
【００５７】
このプリンタ機能とは、ＰＣ１２，２１４やワードプロセッサ等から送信されてきた印刷用のイメージデータ（以下、印刷データとする）に基づく画像を記録媒体としての記録紙等に形成する機能のことを意味し、当該ファクシミリ装置２は、ＰＣインタフェース（ＰＣ  Ｉ／Ｆ）２４（図４参照）を介して外部のＰＣから印刷データを受信したり、通信モジュール５を介してＬＡＮ内のＰＣ１２や、インターネット内のＰＣ２１４から印刷データを受信すると、そのデータに基づく画像を記録紙に形成する。また、コピー機能とは、後述するスキャナ部３５及び記録部３７を用いて、原稿から画像を読み取り、そのイメージデータに基づいて、記録紙に画像を形成する複写機能を意味する。
【００５８】
このような機能を有するファクシミリ装置２には、図２に示すように、その本体ケース２５の側部に、ハンドセット（Ｈ／Ｓ）２６が取り付けられ、上面の前部に、操作パネル２７が設けられている。尚、この操作パネル２７には、相手側の電話番号（ＦＡＸ番号）を入力するための数字キー２７１や、スタートキー２７２、選択キー２７３、複写原稿データ生成キー２７４、差異検出キー２７５などの各種操作キー２７０と、各種機能に関連する情報を表示するための液晶ディスプレイ（ＬＣＤ）２７６とが備えられている。そして、液晶ディスプレイ（ＬＣＤ）２７６に表示された画面に従って選択キー２７３を操作することにより、差異検出結果の出力方式を入力可能に構成されている。
【００５９】
この他、本体の上方後部には、装置内に供給する記録紙を収容するための第一給紙トレイ２９が設けられ、その上には記録紙を載置するためのものであって利用者による手差しで記録紙を供給するための第二給紙トレイ３１が設けられている。更に、その上には、読取用の原稿用紙を載置するための原稿用給紙トレイ３３が設けられている。
【００６０】
また、本体には、図３に示すように、原稿から画像を読み取るためのスキャナ部３５、記録紙に多色カラーの画像を形成するための記録部３７、及びこれらの各部の駆動を制御するＣＰＵ３９（図４参照）を搭載する基板（図示せず）などが内蔵されている。
【００６１】
スキャナ部３５では、原稿用給紙トレイ３３に載置された原稿が、原稿センサ（図示せず）により検出され、図３の矢印Ａにて示すように、給紙ローラ４１及び分離パッド４３等からなる給紙機能によって一枚ずつ取り込まれ、この後に、搬送ローラ４５により読取装置４７まで搬送される。そして、読取装置４７では、原稿上に形成されている画像が読み取られる。また、読取装置４７による画像読取後の原稿は、排紙ローラ４９を介して前方に設けられた第一排紙トレイ５１に排出される。
【００６２】
尚、このスキャナ部３５には、上記原稿センサの他に、原稿の先頭を検出する原稿フロントセンサ５３と、原稿の後端を検出する原稿リアセンサ５５とが設けられており、ＣＰＵ３９は、これらのセンサからの検出結果に基づき、スキャナ部３５内の各部を制御して紙送りを調整し、上記スキャナ部３５の動作を実現する。
【００６３】
一方、記録部３７では、第一給紙トレイ２９あるいは第二給紙トレイ３１に載置された記録紙が、図３の矢印Ｂにて示すように、給紙ローラ５７及び分離パッド５９等からなる給紙機構によって一枚ずつ取り込まれる。そして、記録紙は、搬送ローラ６１を介して画像形成装置６３に送られる。画像形成装置６３では、記録紙上に複数色（本実施例ではシアン、マゼンタ、イエロー及びブラック）のトナーの組合せによる多色カラーの画像が形成される。また、画像形成装置通過後の記録紙は、下流側の定着装置６５に送られる。そして、この定着装置６５では、トナーによる画像が記録紙上に定着される。更に定着装置通過後の記録紙は、排紙ローラ６７を介して、本体の前面に設けられた第二排紙トレイ６９に排出される。
【００６４】
尚、上記画像形成装置６３は、レーザ光走査装置７１を動作させて感光ドラムにレーザ光を照射し、その表面に静電潜像を形成する構成にされている。このレーザ光走査装置７１は、ＣＰＵ３９からの指令に従ってイメージデータに基づくレーザ光を発射するレーザ発光部７７と、レーザ光反射用のレンズ７８、及びレンズ７８に反射されたレーザ光を感光ドラムに導く反射ミラー７９等を備えている。この他、画像形成装置６３は、トナーを貯留するトナータンク７３を備えており、静電潜像形成後の感光ドラムにトナータンク７３から供給されたトナーを付着させ、転写ローラ７５により、記録紙に電荷を付与して感光ドラムに付着したトナーを記録紙に転写する構成にされている。ただし、図３に示す画像形成装置６３の構成図は、画像形成装置６３の機能を説明するための模式図である。つまり本実施例の画像形成装置６３は、カラーのトナー像を形成可能な周知の画像形成装置としての構成を有しており、上述のように、各色毎にトナー像を形成して、それらを重ね合わせてカラーのトナー像を形成する構成をとる。
【００６５】
次に、ファクシミリ装置２の電気的構成について説明する。尚、図４は、本実施例のファクシミリ装置２の電気的構成を表すブロック図である。また、図５は、ＲＡＭ８３内のデータ構成を表す説明図（同図（ａ））、ＲＯＭ８１内のデータ構成を表す説明図（同図（ｂ））、及びハードディスク８４内のデータ構成を表す説明図（同図（ｃ））である。
【００６６】
ファクシミリ装置２は、主に、ＣＰＵ３９、ＲＯＭ８１、ＲＡＭ８３、ハードディスク（以降、ＨＤＤとする）８４、スキャナ部３５、符号器８５、記録部３７、復号器８７、操作キー入力検出部８８、ＬＣＤ２７６、モデム８９、回線制御部３、ＰＣインタフェース（ＰＣ  Ｉ／Ｆ）２４、メール制御部９１及び機能拡張用インタフェース（機能拡張用Ｉ／Ｆ）９３を備えており、夫々はバス９５を介して接続されている。また、この機能拡張用Ｉ／Ｆ９３には通信モジュール５が接続されている。
【００６７】
ＣＰＵ３９は本装置の制御の中枢を担っており、装置全体を統括制御する構成にされている。例えば、ＣＰＵ３９はＲＯＭ８１内に予め記録された制御処理用のプログラムを読み出し、そのプログラムに従ってファクシミリデータの送受信等の処理を実行する。
【００６８】
尚、ＲＯＭ８１内には、当該装置をファクシミリ装置として動作させるために必要なファクシミリ機能用プログラム群８１ａ（図５（ｂ）参照）が記憶されている。具体的には例えば、回線制御部３が外部のファクシミリ装置２３から受信したファクシミリデータに基づく画像を記録部３７に形成させるための受信用プログラム等が上記ファクシミリ機能用プログラムとしてＲＯＭ８１に納められている。
【００６９】
また、ＲＯＭ８１内には、当該装置を、ＰＣ１２，２１４等から送信されてきた印刷データに基づく画像を記録紙等に印刷するプリンタとして動作させるために必要なプリンタ機能用プログラム群８１ｂが記憶されている。この他、ＲＯＭ８１内には、上記プログラム等で呼び出される記録部制御用プログラム８１ｃや、その他の図示しない各種プログラム、そのプログラム実行時に必要な各種データが予め記憶されている。
【００７０】
一方、ＲＡＭ８３は、各種制御を行う際に必要なワークメモリ８３ａ（図５（ａ）参照）や、ファクシミリデータ等を記憶するページバッファ８３ｂ、ファクシミリデータの送信先に関する宛先情報を記憶する宛先情報記憶部８３ｃなどとして機能するようにされている。また、宛先情報記憶部８３ｃは、ファクシミリデータの送信先に関する宛先情報として電話番号を記憶可能な構成にされ、更に、この電話番号に関連づけて、メールアドレスを記憶可能な構成にされている。即ち、当該ファクシミリ装置２は、相手先装置（外部のファクシミリ装置２３）が公衆回線網経由のファクシミリデータの送受信の他に、インターネット経由の電子メールの送受信を行うことが可能な構成にされている場合に備えて、一つの宛名に対して、電話番号とメールアドレスの両方を併記した形で宛先情報を登録できるように構成されている。
【００７１】
また、ＨＤＤ８４内には、図５（ｃ）に示すように、原稿データと該原稿データを識別するための識別情報とを対応付けて記憶するための記憶領域である原稿データベース８４ａが確保されている。この識別情報は、ファクシミリ装置２の製造番号と、識別情報を生成した日時とを組み合わせた構造を有し、例えば、ファクシミリ装置２の製造番号が「１２３４」で、識別情報生成日時が２００３年０１月２３日０４時５６分である場合には、記憶される識別情報は「１２３４０３０１２３０４５６」となる。尚、原稿データベース８４ａは、本発明の記憶手段に相当する。
【００７２】
スキャナ部３５は、本発明の読取手段に相当し、ファクシミリデータの送信やコピー（原稿の複写）等の際に、原稿を読み取るためのものである。本実施例のスキャナ部３５は、上述したように、原稿を原稿用給紙トレイ３３から取得し、読取装置４７にて画像を読み取り、読取結果としてのイメージデータを符号器８５などに出力する構成にされている。
【００７３】
また、符号器８５は、スキャナ部３５によって読み取られたイメージデータをファックスフォーマットであるＧ３圧縮形式のイメージデータにするために、符号化処理を実行し、その処理後のイメージデータを出力する構成にされている。一方、復号器８７は、ファックスフォーマットのイメージデータを復号化して、記録部３７にて処理可能な印刷用のイメージデータに変換する構成にされている。
【００７４】
また、操作キー入力検出部８８は、各種操作キー２７０からの入力を検出する構成にされている。
また、記録部３７は、本発明の印刷手段に相当し、上述したように、カラー画像を形成可能な所謂カラーレーザプリンタとして機能する構成にされており、記録部制御用プログラム８１ｃを実行するＣＰＵ３９からの指令に従い、復号器８７によって復号化されたイメージデータ等に基づくカラー画像を、上記画像形成装置６３を用いて記録紙等の記録媒体に印刷して形成し、印刷後の記録媒体を出力する構成にされている。
【００７５】
同じく操作パネル２７に設けられた上記ＬＣＤ２７６は、利用者に操作手順を案内するメッセージやエラーメッセージ等の各種メッセージ等を表示するための表示手段として設けられている。
【００７６】
モデム８９は、回線制御部３を介してスプリッタ８経由で公衆回線網に接続された外部のファクシミリ装置２３との間でファクシミリデータを送受信する構成にされている。
また、回線制御部３は、公衆回線網に対するダイヤル信号の送出や、公衆回線網からの呼出信号に対する応答等の動作を行うものであり、例えば、公衆回線網を介して自身を外部のファクシミリ装置２３に通信可能に接続する構成にされている。
【００７７】
一方、ＰＣＩ／Ｆ２４は、本発明のデータ入出力手段に相当し、ＰＣと当該ファクシミリ装置２とをパラレルインタフェース等を介して接続するときに用いられるものであり、ＰＣからの印刷データ等を受信する構成にされている。
【００７８】
また、メール制御部９１は、電子メールによるファクシミリデータの送受信を実現するものであり、インターネットに接続された外部の通信装置との間で電子メールの送受信を行う構成にされている。
【００７９】
つまりメール制御部９１は、符号器８５にて符号化されたファクスフォーマットのバイナリイメージデータを、テキストコードのイメージデータに変換すると共に、送信先のメールアドレス等を含むヘッダ情報をそのデータに付加することにより、ファックスフォーマットのイメージデータを、電子メールとして送信可能な電子メールフォーマットのイメージデータにフォーマット変換したり、逆にインターネット経由で通信モジュール５を介して受信した電子メールフォーマットのイメージデータを、ファックスフォーマットのイメージデータに逆フォーマット変換する処理を行う。尚、このメール制御部９１によってファックスフォーマットのイメージデータに逆フォーマット変換されたデータは、復号器８７によって記録部３７で出力可能なイメージデータに復号化されてから記録紙に印刷される。
【００８０】
この他、機能拡張用Ｉ／Ｆ９３は、ＡＩＯ（アナログ入出力）やＲＳ２３２Ｃ等のシリアルインタフェースであり、別体で構成されたルータ制御部１０１を備える通信モジュール５を着脱自在に接続することができる構成にされている。
【００８１】
また、通信モジュール５は、ルータ制御部１０１、ルータ制御部１０１に繋がるインタフェース接続端子１０３などを備えている。尚、通信モジュール５は、このインタフェース接続端子１０３を介して機能拡張用Ｉ／Ｆ９３に接続される。
【００８２】
ルータ制御部１０１は、ＡＤＳＬモデム９を介してインターネット内の通信装置（ＷＷＷサーバ２２やＰＣ２１４）との間でＩＰパケットの送受信を行うためのものであり、周知のＩＰマスカレード機能やルーティング機能を備えるブロードバンド対応のルータとして機能する。
【００８３】
即ち、このルータ制御部１０１は、ＩＰマスカレード機能により、ＬＡＮ内で用いられるプライベートＩＰアドレスと、ＷＡＮ（本実施例ではインターネット内）で用いられるグローバルＩＰアドレスとを相互変換し、ルーティング機能により、ＬＡＮ側の端末と、ＷＡＮ側の通信装置（ＷＷＷサーバ２２）とを双方向通信可能に接続する構成にされている。
【００８４】
例えば、ルータ制御部１０１は、ＬＡＮ側接続ポート７に接続されるＬＡＮ内の各ＬＡＮ端末（ＰＣ１２，プリンタＰｒ）との間で通信を行うことにより、ＬＡＮ内のＬＡＮ端末をインターネットに双方向通信可能に接続する。つまり例えば、ルータ制御部１０１は、経路制御して、インターネット内のＷＷＷサーバ２２から受信したデータを、宛先のＬＡＮ端末に送信する。
【００８５】
この他、ルータ制御部１０１は、装置本体側のＣＰＵ３９と機能拡張用Ｉ／Ｆ９３を介して通信を行うことができるようにされている。即ち、各ＬＡＮ端末（ＰＣ１２，プリンタＰｒ）は、ルータ制御部１０１及びインタフェース９３を介して装置本体側のＣＰＵ３９と双方向通信を行うことができ、例えば、当該ファクシミリ装置２のＣＰＵ３９は、ルータ制御部１０１を介してＰＣ１２から印刷データを取得すると、プリンタ機能用プログラムを実行し、そのプログラム内で記録部制御用プログラム８１ｃを呼び出して記録部３７を制御し、記録部３７に、その印刷データに基づく画像を記録紙に形成させる。
【００８６】
次に、図６を用いて、ＣＰＵ３９が実行する差異検出処理について説明する。図６（ａ）は、差異を検出するために原本となる元画像データを管理し、複写画像データを生成するための機能的な構成を表す機能ブロック図、図６（ｂ）は差異を検出するための機能的な構成を表す機能ブロック図である。
【００８７】
まず、図６（ａ）を用いて、スキャナ部３５から原稿（原本）を読み取り、元データとなる原稿データ（元画像データ）を生成するための機能を説明する。
元データ取得部１１１は、本発明の元データ取得手段に相当し、スキャナ部３５を制御し原稿Ｐ１（原本）を読み取り、原稿Ｐ１の内容を示す元原稿データ（元画像データ）を取得する。
【００８８】
そして、元データ記憶制御部１１３は、本発明の元データ記憶制御手段に相当し、元データ取得部１１１から元原稿データが入力されると、元原稿データを識別するための識別情報を生成して、元原稿データと、識別情報とを対応付けて原稿データベース８４ａに記憶する。
【００８９】
また、複写原稿データ生成部１１５は、本発明の複写画像データ生成手段に相当し、元データ記憶制御部１１３から入力される識別情報により指定される元原稿データを、原稿データベース８４ａから読み込み、この元原稿データと識別情報とを組み合わせた複写原稿データ（複写画像データ）を生成する。
【００９０】
そして、複写原稿データ生成部１１５からの複写原稿データが記録部３７に入力されると、読み取った元原稿データの内容と、識別情報を示すバーコードＰ２ａとが印刷された原稿Ｐ２（被記録媒体）が出力される。この原稿Ｐ２が第三者などの元に回覧されることになる。
【００９１】
尚、元データ取得部１１１，元データ記憶制御部１１３，複写原稿データ生成部１１５は、ＣＰＵ３９が実行する処理として実現される。
次に、図６（ｂ）を用いて、原稿Ｐ２に対する加筆などの変更を検出するための機能を説明する。尚、ここでは原稿Ｐ２を回覧した後、戻ってきた原稿を原稿Ｐ３として説明する。従って、バーコードＰ２ａとバーコードＰ３ａは同一の識別情報である。
【００９２】
検出対象取得部１２１は、本発明の検出対象取得手段に相当し、スキャナ部３５を制御し、バーコードＰ３ａが印刷された原稿Ｐ３を読み取り、原稿Ｐ３の内容を示す検出対象原稿データ（検出対象画像データ）とバーコードＰ３ａが示す識別情報とを取得する。
【００９３】
そして、元原稿データ抽出部１２３は、本発明の元原稿データ抽出手段に相当し、バーコードＰ３ａが示す識別情報により指定される元原稿データを、原稿データベース８４ａから抽出する。
【００９４】
また、検出部１２５は、本発明の検出手段に相当し、元原稿データ抽出部１２３から入力される元原稿データと、検出対象取得部１２１から入力される検出対象原稿データと比較して、両原稿データ間のデータの差異を検出し、差異を示す検出データを生成する。
【００９５】
そして、結果データ生成部１２７は、本発明の結果データ生成手段に相当し、検出部１２５から入力される検出データに基づき、差異が検出された部分を認識可能に示すための結果データを生成する。
【００９６】
そして、結果データ生成部１２７からの結果データが記録部３７に入力されると、差異が検出された部分が、赤色で且つ太く印刷された原稿Ｐ４が出力される。即ち、図６（ｂ）に示すように、例えば原稿Ｐ３に変更部Ｐ３ｂがあると、原稿Ｐ４において変更部Ｐ３ｂに対応する部分が強調部Ｐ４ａとして赤色で且つ太く印刷される。
【００９７】
尚、検出対象取得部１２１，元原稿データ抽出部１２３，検出部１２５，結果データ生成部１２７は、ＣＰＵ３９が実行する処理として実現される。
以下に、図６に示す各機能を実現するためにＣＰＵ３９にて実行される処理を、フローチャートを用いて説明する。
【００９８】
まず、図７を用いて、ＣＰＵ３９が実行する複写原稿データ生成処理について説明する。図７は、複写原稿データ生成処理を表すフローチャートである。この複写原稿データ生成処理はファクシミリ装置２が起動（電源ＯＮ）している間に繰り返し実行される処理である。
【００９９】
この複写原稿データ生成処理を実行すると、ＣＰＵ３９は、まずＳ１０にて、複写原稿データ生成キー２７４が押下されたか否かを判断する。ここで、複写原稿データ生成キー２７４が押下されたと判断すると（Ｓ１０：ＹＥＳ）、Ｓ２０に移行し、スキャナ部３５からセットされている原稿を読み取る。
【０１００】
そして、Ｓ３０にて、読み取った元原稿データを識別するための識別情報を生成し、識別情報と元原稿データとを原稿データベース８４ａに記憶する。この識別情報は、前述のように、ファクシミリ装置２の製造番号と、識別情報を生成した日時とに基づいて決定される。尚、ＲＡＭ８３には現在時刻を記憶するタイマが設けられており、ＣＰＵ３９は、このタイマから、識別情報を生成した日時の情報を取得する。
【０１０１】
次に、Ｓ４０において、原稿データベース８４ａに記憶された元原稿データと識別情報とを組み合わせてページバッファ８３ｂに記憶する。
その後、Ｓ５０にて、ページバッファ８３ｂに記憶されているデータを記録部３７において印刷し、当該複写原稿データ生成処理を終了する。
【０１０２】
また、Ｓ１０に戻り、複写原稿データ生成キー２７４が押下されていないと判断すると（Ｓ１０：ＮＯ）、当該複写原稿データ生成処理を終了する。
尚、Ｓ２０の処理は本発明の元データ取得手段（元データ取得部１１１）、Ｓ３０の処理は本発明の元データ記憶制御手段（元データ記憶制御部１１３）、Ｓ４０の処理は本発明の複写画像データ生成手段（複写原稿データ生成部１１５）に相当する。
【０１０３】
次に、差異検出処理の手順を図８に基づいて説明する。図８は、差異検出処理を表すフローチャートである。この差異検出処理はファクシミリ装置２が起動（電源ＯＮ）している間に繰り返し実行される処理である。
【０１０４】
この差異検出処理を実行すると、ＣＰＵ３９は、まずＳ２１０にて、差異検出キー２７５が押下されたか否かを判断する。ここで、差異検出キー２７５が押下されたと判断すると（Ｓ２１０：ＹＥＳ）、Ｓ２２０に移行し、スキャナ部３５からセットされている原稿を読み取り、読み取った検出対象原稿データをページバッファ８３ｂに記憶する。
【０１０５】
そして、Ｓ２３０にて、ページバッファ８３ｂに記憶されている検出対象原稿データから識別情報を示すバーコードを検出し、そのバーコードから識別情報を取得する。さらにＳ２４０にて、ページバッファ８３ｂに記憶されている検出対象原稿データから識別情報バーコードのデータを削除する。
【０１０６】
その後、Ｓ２５０にて、識別情報により特定される元原稿データを、原稿データベース８４ａから読み込み、ワークメモリ８３ａに記憶し、Ｓ２６０に移行する。
Ｓ２６０では、ページバッファ８３ｂに記憶されている検出対象原稿データとワークメモリ８３ａに記憶されている元原稿データとを比較する。即ち、ページバッファ８３ｂに記憶されている検出対象原稿データを構成する全画素について、その夫々の画素の位置に対応する、ワークメモリ８４ａに記憶されている元原稿データの画素との間での差異があるか否かを検出する。
【０１０７】
そして、全画素について差異がなければ（Ｓ２７０：ＮＯ）、Ｓ２８０に移行し、ＬＣＤ２７６に「差異なし」と表示し、当該差異検出処理を終了する。一方、差異がある画素を検出した場合には（Ｓ２７０：ＹＥＳ）、Ｓ２９０に移行し、差異検出結果出力処理を行い、当該差異検出処理を終了する。
【０１０８】
また、Ｓ２１０に戻り、差異検出キー２７５が押下されていないと判断すると（Ｓ２１０：ＮＯ）、当該差異検出処理を終了する。
尚、Ｓ２２０及びＳ２３０の処理は本発明の検出対象取得手段（検出対象取得部１２１）、Ｓ２５０の処理は本発明の元画像データ抽出手段（元原稿データ抽出部１２３）、Ｓ２６０の処理は本発明の検出手段（検出部１２５）、Ｓ２９０の処理は本発明の結果データ生成手段（結果データ生成部１２７）に相当する。
【０１０９】
次に、Ｓ２９０の差異検出結果出力処理の手順を図９に基づいて説明する。図９は、差異検出結果出力処理を表すフローチャートである。
差異検出結果出力処理を実行すると、ＣＰＵ３９は、まずＳ４１０にて、ワークメモリ８３ａに記憶されている原稿データとページバッファ８３ｂに記憶されている原稿データとの差分原稿データを生成する。例えば、図１１（ａ）に示すように、ワークメモリに記憶されている元原稿データが原稿データＤ１で表されるもので、ページバッファ８３ｂに記憶されている検出対象原稿データが原稿データＤ２で表されるものである場合には、原稿データＤ１で「金額    ５０，０００円」と表されている部分において、原稿データＤ２では「金額  ３５０，０００円」となっている。つまり、両原稿データの差異は、「５」の左に「３」が追加されている点であるので、図１１（ｂ）に示すように、「３」が追加されている位置に「３」の文字が表示された差分原稿データＤ３が生成される。
【０１１０】
同様にして、原稿データＤ１に存在していた文字が原稿データＤ２において消去されているような場合も、マイナスの差分として差分原稿データＤ３が生成される。
そして、Ｓ４２０に移行し、差分原稿データＤ３に対する膨張処理を行う。膨張処理は、差分部分のデータを構成する差分画素について、夫々の差分画素の上下の画素も差分画素と同じデータに置き換える処理である。
【０１１１】
つまり、差分原稿データＤ３における「３」の文字は、例えば図１２（ａ）に示すように、複数の差分画素によって形成されており、膨張処理を行うと、図１２（ｂ）に示すように、図１２（ａ）に示す「３」の文字の上下に、それぞれ１画素分が太くなったデータが得られる。
【０１１２】
その後Ｓ４３０に処理を移し、Ｓ２２０にて読み取った原稿はカラー原稿であるか否かを判断する。ここで、カラー原稿であると判断すると（Ｓ４３０：ＹＥＳ）、Ｓ４４０にて、ページバッファ８３ｂに記憶されている原稿データをモノクロ化し、Ｓ４５０に移行する。一方、カラー原稿でない、つまりモノクロ原稿であると判断すると（Ｓ４３０：ＮＯ）、Ｓ４５０に移行する。
【０１１３】
Ｓ４５０では、Ｓ４２０の膨張処理を行った後の画素を着色する。本実施例では、膨張処理を行った後の画素を、例えば赤色に変換する。その結果、図１２（ｃ）に示すように、図１２（ａ）における「３」の部分が赤色で且つ太くなった差分原稿データが得られる。
【０１１４】
そして、Ｓ４６０にて、この赤色に変換された差分原稿データを、ページバッファ８３ｂに記憶されている原稿データ上に合成すると、ページバッファ８３ｂに記憶されている原稿データにおいて、図１２（ｄ）に示すように、黒色の「３」の周囲が赤色になっている原稿データが得られる。
【０１１５】
その後Ｓ４７０に処理を移し、ページバッファ８３ｂに記憶されている原稿データの出力方式がプリンタ，ＦＡＸ，メールの何れかに設定されているか判断する。尚、出力方式は、後述する出力方式設定処理により予め設定されている。ここで、出力方式がプリンタに設定されていると判断すると（Ｓ４７０：プリンタ）、Ｓ４８０に移行し、記録部３７からページバッファ８３ｂに記憶されている原稿データを印刷して出力し、当該差異検出結果出力処理を終了する。
【０１１６】
また、出力方式がＦＡＸに設定されていると判断すると（Ｓ４７０：ＦＡＸ）、Ｓ４９０に移行し、モデム８９及び回線制御部３を介してページバッファ８３ｂに記憶されている原稿データを、出力方式設定処理により予め設定されている送信先へＦＡＸ送信し、当該差異検出結果出力処理を終了する。
【０１１７】
また、出力方式がメールに設定されていると判断すると（Ｓ４７０：メール）、Ｓ５００に移行し、通信モジュール５を介して、ページバッファ８３ｂに記憶されている原稿データを、出力方式設定処理により予め設定されている送信先へメール送信し、当該差異検出結果出力処理を終了する。
次に、図１０を用いて、ＣＰＵ３９が実行する出力方式設定処理について説明する。図１０は、出力方式設定処理を表すフローチャートである。この出力方式設定処理はファクシミリ装置２が起動（電源ＯＮ）している間に繰り返し実行される処理である。尚、出力方式設定処理は、本発明における選択手段に相当する。
【０１１８】
この出力方式設定処理を実行すると、ＣＰＵ３９は、まずＳ６１０にて、出力方式設定指令が選択キー２７３から入力されたか否かを判断する。ここで、出力方式設定指令が入力されたと判断すると（Ｓ６１０：ＹＥＳ）、Ｓ６２０にて、ＬＣＤ２７６に、図１３(ａ)に示すような、プリンタ，ＦＡＸ，メールの中で出力方式を設定するための画面を表示する処理を行う。
【０１１９】
この後、ＣＰＵ３９は、Ｓ６３０において、出力方式設定の入力が完了したことを示す設定入力完了信号を選択キー２７３から入力されるまで待機する。
そして、設定入力完了信号が入力されると、出力方式設定が完了したと判断して（Ｓ６３０：ＹＥＳ）、Ｓ６４０において、選択キー２７３から入力された出力方式がプリンタであるか否かを判断する。ここで、出力方式がプリンタであると判断すると（Ｓ６４０：ＹＥＳ）、Ｓ６５０にて、出力方式をプリンタに設定して、当該出力方式設定処理を終了する。
【０１２０】
一方、Ｓ６４０にて、出力方式がプリンタでないと判断すると（Ｓ６４０：ＮＯ）、Ｓ６６０に移行し、選択キー２７３から入力された出力方式がＦＡＸであるか否かを判断する。ここで、出力方式がＦＡＸであると判断すると（Ｓ６６０：ＹＥＳ）、Ｓ６７０にて、出力方式をＦＡＸに設定して、Ｓ６８０に移行する。
【０１２１】
Ｓ６８０では、ＬＣＤ２７６に、図１３(ｂ)に示すような、ＦＡＸの出力先の電話番号を入力するための画面を表示する処理を行う。
この後、Ｓ６９０において、ＦＡＸの電話番号の入力が完了したことを示す番号入力完了信号を選択キー２７３から入力されるまで待機する。そして、番号入力完了信号が入力されると、番号入力が完了したと判断して（Ｓ６９０：ＹＥＳ）、Ｓ７００にて、入力された電話番号をＦＡＸの出力先の電話番号として設定し、当該出力方式設定処理を終了する。
【０１２２】
一方、Ｓ６６０にて、出力方式がＦＡＸでないと判断すると（Ｓ６６０：ＮＯ）、Ｓ７１０に移行し、出力方式をメールに設定する。そして、Ｓ７２０にて、ＬＣＤ２７６に、図１３(ｃ)に示すような、メールの送信先のアドレスを入力するための画面を表示する処理を行う。
【０１２３】
この後、Ｓ７３０において、アドレスの入力が完了したことを示すアドレス入力完了信号を選択キー２７３から入力されるまで待機する。そして、アドレス入力完了信号が入力されると、アドレス入力が完了したと判断して（Ｓ７３０：ＹＥＳ）、Ｓ７４０にて、入力されたアドレスをメールの送信先のアドレスとして設定し、当該出力方式設定処理を終了する。
【０１２４】
また、Ｓ６１０に戻り、出力方式設定指令が入力されていないと判断すると（Ｓ６１０：ＮＯ）、当該出力方式設定処理を終了する。
このように構成された本実施形態のファクシミリ装置２においては、元原稿データを取得し（Ｓ２０）、元原稿データを識別するための識別情報を生成して元原稿データと対応付けて原稿データベース８４ａに記憶し（Ｓ３０）、原稿データベース８４ａに記憶される元原稿データとそれに対応する識別情報とを組み合わせて、複写原稿データを生成する（Ｓ４０）。そして、複写原稿データを印刷する（Ｓ５０）ことにより、複写原稿データは用紙に記録された形態で外部に流通することになる。その後、外部に流通した用紙上の複写原稿データの内容に対して加筆などの変更が為されているかを調べる場合には、その用紙を回収して記録内容を、スキャナ部３５から読み取ることにより、検出対象となる検出対象原稿データと、識別情報とを取得し（Ｓ２２０及びＳ２３０）、識別情報に基づいて、原稿データベース８４ａから識別情報に対応付けられている元原稿データを抽出し（Ｓ２５０）、抽出された元原稿データと、取得された検出対象原稿データとを比較し、両原稿データの間の差異を検出する（Ｓ２６０）。
【０１２５】
従って、加筆などの変更があればデータ上で除去することが可能となる。
また、第三者が用紙に記録されている内容を変更した場合において、変更内容を含んでいる検出対象原稿データの内容に一致するように元原稿データを変更するには、元原稿データが記憶された原稿データベース８４ａにアクセスする必要があり、第三者による元原稿データの変更は困難になる。従って、原稿データベース８４ａに記憶された元原稿データが変更されない限り、検出対象原稿データに含まれる変更内容は確実に検出されるため、差異検出の精度を向上させることができる。
【０１２６】
また、ファクシミリ装置２は、差異が検出された部分が赤色で且つ太く示される結果データを生成する（Ｓ２９０）ため、差異が検出された部分を使用者が識別しやすくなる。
また、ファクシミリ装置２は、図９のＳ４７０の処理によって、結果データを、印刷するか、公衆電話回線網を介して送信するか、インターネットを介して送信するかを、使用者に選択させることができ、使用者の使用形態に適した結果データの出力方法を採用することができる。
【０１２７】
また、識別情報は、ファクシミリ装置２の製造番号と、識別情報が生成された日時とを含んでいるため、ファクシミリ装置２内の複数の識別情報を区別することができるとともに、ファクシミリ装置２が複数存在する場合でも、異なる装置にて同一の識別情報が生成されてしまうことがなく、識別情報により元画像データを確実に認識することができる。
【０１２８】
以上、本発明の一実施例について説明したが、本発明は上記実施例に限定されるものではなく、種々の態様を採ることができる。
例えば、上記実施形態においては、文字が印刷された原稿の変更を検出するものを示したが、絵や写真などが印刷された画像の変更を検出するようにしてもよい。
【０１２９】
また、上記実施形態では、両原稿データ間のデータの差異を検出すると、その差異の部分を認識可能に印刷するものを示したが、例えば音声や発光により差異があることのみを周囲に報知する報知手段を備えるようにしてもよい。
【０１３０】
識別情報はバーコードＰ２ａという形だけでなく、ステガノグラフィ技術やモルフォロジカルフィルタなどを用いて、一見して識別情報が付加されていないように見えるように記憶してもよい。その際、識別情報に冗長性を持たせ、記録面全体に記録することで、被記録媒体の一部が汚れた場合でも確実に識別情報が得られる。
【０１３１】
また、上記実施例では、差異の部分を赤色で印刷したものを示したが、差異の部分が認識可能であれば、赤色に限定されない。
また、上記実施例では、差異の部分を異なる色で印刷したものを示したが、差異の部分を異なる濃度で印刷するようにしてもよく、アンダーライン、網かけ、反転などにより識別可能に印刷してもよい。
【０１３２】
また、上記実施例では、差異検出結果の出力を、プリンタとＦＡＸとメールとの中から選択するものを示したが、差異検出結果を表示するのに十分大きい画面を持つ、本発明の表示手段としてのＬＣＤやＣＲＴを備え、この表示手段とプリンタとＦＡＸとメールとの中から選択するようにしてもよい。
【０１３３】
また、上記実施例では、識別情報は、ファクシミリ装置２の製造番号と、識別情報を生成した日時とを組み合わせた構造のものを示したが、ファクシミリ装置２の製造番号とシリアル番号とを組み合わせた構造のものであってもよい。
【０１３４】
また、上記実施例では、スキャナ部３５から原稿を読み取り、読み取った原稿データと識別番号とを対応付けて原稿データベース８４ａに記憶するとともに、原稿データと識別情報とが組み合わされた複写原稿データを生成するものを示したが、原稿データベース８４ａに予め記憶されている原稿データを指定して、指定された原稿データを原稿データベース８４ａから取得し、その指定された原稿データと識別番号とを対応付けて原稿データベース８４ａに記憶するとともに、指定された原稿データと識別情報とが組み合わされた複写原稿データを生成するようにしてもよい。
【０１３５】
または、回線制御部３を介してファクシミリ装置２３からファクシミリデータを受信すると、そのファクシミリデータと識別番号とを対応付けて原稿データベース８４ａに記憶するとともに、ファクシミリデータと識別情報とが組み合わされた複写原稿データを生成するようにしてもよい。
【０１３６】
あるいは、通信モジュール５を介してＰＣ２１４からメールを受信すると、そのメールデータと識別番号とを対応付けて原稿データベース８４ａに記憶するとともに、メールデータと識別番号とが組み合わされた複写原稿データを生成するようにしてもよい。
【０１３７】
または、ＰＣ１２からＬＡＮを介して原稿データを取得すると、取得した原稿データと識別番号とを対応付けて原稿データベース８４ａに記憶するとともに、原稿データと識別情報とが組み合わされた複写原稿データを生成するようにしてもよい。
【０１３８】
また、上記実施例では、ファクシミリ装置２内に原稿データベース８４ａを備えるとともに、差異検出結果をファクシミリ装置２内の記録部３７から出力するものを示したが、ファクシミリ装置２とＰＣ１２とプリンタＰｒとがＬＡＮを介して接続され、原稿データベースをＰＣ１２が備えるＨＤＤ内に確保するようにしてもよいし、差異検出結果をプリンタＰｒから出力するようにしてもよい。つまり、本発明の記憶手段としての原稿データベース，本発明の印刷手段としての記録部，本発明の読取手段としてのスキャナ部などがネットワークを介して接続されるようにしてもよい。
【０１３９】
また、上記実施例では、画像処理システム内に、本発明の画像処理装置としてのファクシミリ装置２を１台備えるものを示したが、複数のファクシミリ装置２と１つの原稿データベースがネットワークを介して接続され、複数のファクシミリ装置２は、この原稿データベースにアクセスすることにより原稿データと識別情報の記憶・抽出を行うようにしてもよい。
【０１４０】
また、複数のファクシミリ装置２がネットワークを介して接続され、それぞれのファクシミリ装置２がもつ原稿データベースに、それぞれのファクシミリ装置２が相互にアクセスすることにより原稿データと識別情報の記憶・抽出を行うようにしてもよい。
【０１４１】
また、上記実施例では、ファクシミリ装置２が、複写原稿データを生成するとともに、検出を行うものを示したが、図６（ａ）に示す記録部３７と、原稿データベース８４ａと、元データ取得部１１１、元データ記憶制御部１１３及び複写原稿データ生成部１１５の機能を実現するＣＰＵ３９とを備える元データ管理装置と、図６（ｂ）に示す検出対象取得部１２１、元原稿データ抽出部１２３、検出部１２５及び結果データ生成部１２７の機能を実現するＣＰＵ３９と、検出対象取得部１２１により制御されるスキャナ部３５とを備える画像処理装置とが通信可能に接続するようにしてもよい。また、上記元データ管理装置と上記画像処理装置とが通信可能に接続する構成の場合には、画像処理装置が原稿データベース８４ａを備えるようにしてもよい。
【０１４２】
上記元データ管理装置は、例えば、複写原稿データ生成部１１５で生成された複写原稿データを用紙に印刷し、それを第三者に回覧した際に、誤って第三者が用紙を汚してしまい印刷内容の一部が不鮮明となった場合に、用紙に印刷されている識別情報を読み取り、それに基づいて原稿データベース８４ａに記憶されている元原稿データを取り出して再現するといった用途にも使用することができ、元データの管理を容易に行うことができる。
【図面の簡単な説明】
【０１４３】
【図１】本実施例の画像処理システムの構成を表す説明図。
【図２】ファクシミリ装置の外部構成を表す概略斜視図。
【図３】ファクシミリ装置の内部構成を表す説明図。
【図４】ファクシミリ装置の電気的構成を表すブロック図。
【図５】ＲＯＭ、ＲＡＭ及びＨＤＤ内のデータ構成を表す説明図。
【図６】差異検出用データ生成及び差異検出のためのＣＰＵの機能を表す機能ブロック図。
【図７】複写原稿データ生成処理手順を示すフローチャート。
【図８】差異検出処理手順を示すフローチャート。
【図９】差異検出結果出力処理手順を示すフローチャート。
【図１０】出力方式設定処理手順を示すフローチャート。
【図１１】原稿データの比較方法を説明する図。
【図１２】差異検出結果出力方法を説明する図。
【図１３】出力方式設定画面を説明する図。
【符号の説明】
【０１４４】
１…画像処理システム、２，２３…ファクシミリ装置、３…回線制御部、５…通信モジュール、２２…ＷＷＷサーバ、２４…ＰＣＩ／Ｆ、２７…操作パネル、３５…スキャナ部、３７…記録部、３９…ＣＰＵ、８１…ＲＯＭ、８１ａ…ファクシミリ機能用プログラム群、８１ｂ…プリンタ機能用プログラム群、８１ｃ…記録部制御用プログラム、８３…ＲＡＭ、８３ａ…ワークメモリ、８３ｂ…ページバッファ、８４…ＨＤＤ、８４ａ…原稿データベース、８５…符号器、８７…復号器、８８…操作キー入力検出部、８９…モデム、９１…メール制御部、９３…機能拡張用Ｉ／Ｆ、１０１…ルータ制御部、２１４…ＰＣ、２７０…操作キー、２７６…ＬＣＤ。
【図１】
2005064786.tif 000003
【図２】
2005064786.tif 000004
【図３】
2005064786.tif 000005
【図４】
2005064786.tif 000006
【図５】
2005064786.tif 000007
【図６】
2005064786.tif 000008
【図７】
2005064786.tif 000009
【図８】
2005064786.tif 000010
【図９】
2005064786.tif 000011
【図１０】
2005064786.tif 000012
【図１１】
2005064786.tif 000013
【図１２】
2005064786.tif 000014
【図１３】
2005064786.tif 000015